(57)【要約】      （修正有）【課題】簡単な構造で製造費用を節減するだけでなく、動作不良の発生を最小化し、動作応答性の向上により、製品の信頼度を向上させることができる自動式消火器に関する。【解決手段】消火液が内蔵された消火器タンク１０の開口部にねじ結合されたハウジング２０を含む自動式消火器において、ハウジングの内部には、一側から他側に向かって段差のある多段に形成されて貫通された消火液噴出口２２と、消火液噴出口の一側面に連通するようにシャフトホール２６とが形成され、消火液噴出口には、両側が貫通した消火液制御ボール２３が挿入され、シャフトホールには、消火液制御ボールの側面に嵌合されるボール調節シャフト２７が備えられ、消火液噴出口と消火器タンクの開口部に挿入される噴出案内管３０と、消火液噴出口に結合される噴射ノズル４０と、消火液制御ボールを回動させて、消火液噴出口を開閉する駆動装置５０と、を含んで構成されることを特徴とする。【選択図】図１
2006312060.tif 000002
【特許請求の範囲】
【請求項１】
消火液が内蔵された消火器タンクの開口部にねじ結合されたハウジングを含む自動式消火器において、
前記ハウジング(２０)の内部には、一側から他側に向かって段差のある多段に形成されて貫通された消火液噴出口(２２)と、前記消火液噴出口(２２)の一側面に連通するようにシャフトホール(２６)が形成され、前記消火液噴出口(２２)には、両側が貫通された消火液制御ボール(２３)とセットスクリュー(２４)が順次に挿入され、前記シャフトホール(２６)には、前記消火液制御ボール(２３)の側面に嵌合されるボール調節シャフト(２７)が備えられ、
前記消火液噴出口(２２)に一側が挿入され、他側が前記消火器タンク(１０)の開口部を介して内部に挿入される噴出案内管(３０)と、
前記噴出案内管(２３)を介して流入された消火液を外部に噴射するように、前記消火液噴出口(２２)の他側に結合される噴射ノズル(４０)と、
前記噴射ノズル(４０)を介して外部に噴射される消火液を制御するように、前記ハウジング(２０)の外部に備えられて、前記ボール調節シャフト(２７)に結合され、前記ボール調節シャフト(２７)に結合された消火液制御ボール(２３)を回動させて、前記消火液噴出口(２２)を開閉するように回転力を発生する駆動モータ(５２)及び前記駆動モータ(５２)に連結された減速ギア部で構成された駆動装置(５０)と、
を含んで構成されたことを特徴とする自動式消火器。
【発明の詳細な説明】
【技術分野】
【０００１】
本発明は、自動式消火器に関し、より詳細に、簡単な構造で製造費用を節減するたけでなく、動作不良の発生を最小化し、動作応答性の向上により、製品の信頼度を向上させる自動式消火器に関する。
【背景技術】
【０００２】
一般に、自動式消火器は、マンションまたは一般住宅の台所の天井などに取り付けて、火災発生の際、消火器タンク内の消火液を自動に噴出して、火災を鎮圧できるようにしたものである。
【０００３】
従来の消火器は、図６に図示されたように、モータ１０１の駆動力を、多数のギア１０３とテーパー形のラック１０４を介して、押しピン１０５に伝達し、前記押しピン１０５が駆動力により上下に動作しながら、消火液の噴出を統制するように構成される。前記押しピン１０５の底部には、押しピン１０５を上側に加圧して気密を維持するように、スプリング１０７が備えられている。
【０００４】
しかし、前記の消火器には、多数のギアを使用することから、消火噴出時間が非常に遅れるだけでなく、体積が大きく、構造が複雑なので、製造費用が増加する短所がある。それに、押しピン１０５の一部がゴムパッキングからなっているので、時間の経過によって、押しピン１０５のゴムが酸化し、前記押しピン１０５を加圧するスプリング１０７の張力が減少する。したがって、長期間使用する場合、消火器タンク内の気密維持が難しくなって、火災のとき、消火液の噴出に数多い問題点が発生した。
【発明の開示】
【発明が解決しようとする課題】
【０００５】
本発明の目的は、簡単な構造で、製造費用が節減されるだけでなく、動作不良の発生を最小化し、特に、消火液制御ボールの回動による開閉構造で形成されることで、気密維持と共に動作応答性の向上により、製品の安定性及び信頼度を向上させることができる自動式消火器を提供することにある。
【課題を解決するための手段】
【０００６】
前記の目的を達成するための本発明の構成は、消火液が内蔵された消火器タンクの開口部にねじ結合されたハウジングを含む自動式消火器において、前記ハウジングの内部には、一側から他側に向かって段差のある多段に形成されて貫通された消火液噴出口と、前記消火液噴出口の一側面に連通するようにシャフトホールが形成され、前記消火液噴出口には、両側が貫通した消火液制御ボールとセットスクリューが順次に挿入され、前記シャフトホールには、前記消火液制御ボールの側面に嵌合されるボール調節シャフトが備えられ、前記消火液噴出口に一側が挿入され、他側が前記消火器タンクの開口部を介して内部に挿入される噴出案内管と、前記噴出案内管を介して流入された消火液を外部に噴射するように、前記消火液噴出口の他側に結合される噴射ノズルと、前記噴射ノズルを介して外部に噴射される消火液を制御するように、前記ハウジングの外部に備えられて、前記ボール調節シャフトに結合され、前記ボール調節シャフトに結合された消火液制御ボールを回動させて、前記消火液噴出口を開閉するように回転力を発生する駆動モータ及び前記駆動モータに連結された減速ギア部で構成された駆動装置と、を含んで構成されたことを特徴とする。
【発明の効果】
【０００７】
本発明によれば、簡単な構造で、製造費用を節減するだけでなく、動作不良の発生を最小化することができる。特に、消火液制御ボールの回動による開閉構造で形成されることで、気密維持と共に、動作応答の向上により、製品の安定性及び信頼度を向上させ、長期間使用すると同時に再活用して使用できるという長所がある。
【発明を実施するための最良の形態】
【０００８】
以下、添付の図面を参照して、本発明の自動式消火器について詳細に説明する。
【０００９】
図１は、本発明による自動式消火器を示した断面図であって、図２は、本発明による自動式消火器を示した分離状態図であって、図３は、本発明による駆動装置を示した状態図であって、図４は、本発明による消火液噴出口の閉鎖時の駆動装置の状態図であって、図５は、本発明による消火液噴出口の開放時の駆動装置の状態図である。
【００１０】
前記の図面に図示されたように、本発明による自動式消火器は、消火液が内蔵される消火器タンク１０と、前記消火器タンク１０の開口部にねじ結合されるハウジング２０と、前記消火器タンク１０内部の消火液を前記ハウジング２０に案内するように、前記ハウジング２０と消火器タンク１０との間に備えられる噴出案内管３０と、前記噴出案内管２３を介して流入された消火液を外部に噴射するように、前記ハウジング２０に結合された噴射ノズル４０と、前記ハウジング２０の一側外周面に備えられ、消火液を噴射するための駆動力発生する駆動装置５０と、で構成される。
【００１１】
前記ハウジング２０は、前記消火器タンク１０をプレスしてからタップ加工した開口部にねじ結合されて一体となり、前記ハウジング２０の内部には、一側から他側に向かって段差のある多段に形成されて貫通された消火液噴出口２２と、前記消火液噴出口２２の一側面に、外部に連通するようにシャフトホール２６が形成される。
【００１２】
前記消火液噴出口２２には、両側が貫通された球形状の消火液制御ボール２３とセットスクリュー２４が順次に挿入され、前記消火液制御ボール２３の両側には、気密維持と同時に消火液制御ボール２３の回動を案内するパッキング２５がそれぞれ備えられ、前記シャフトホール２６には、前記消火液制御ボール２３の側面に嵌合されて、前記消火液制御ボール２３を回動させるボール調節シャフト２７が備えられる。
【００１３】
前記噴出案内管３０は、一定の長さを有するパイプで形成されて、一側が前記消火液噴出口２２に挿入され、他側が前記消火器タンク１０の開口部を介して内部に挿入されることが好ましい。前記噴射ノズル４０は、前記ハウジング２０の消火液噴出口２２に噴射ニップル４２で結合されることが好ましい。
【００１４】
前記駆動装置５０は、前記噴射ノズル４０を介して外部に噴射される消火液を制御するように、前記ボール調節シャフト２７に結合され、前記ボール調節シャフト２７に結合された消火液制御ボール２３を回動させて、前記消火液噴出口２２を開閉するように回転力を発生する駆動モータ５２と、前記駆動モータ５２に連結された減速ギア部とで構成される。前記駆動装置５０には、前記駆動モータ５２と前記減速ギア部を包むように、カーバ５１がさらに備えられる。
【００１５】
すなわち、前記駆動モータ５２の駆動時、駆動力が減速ギア部を経て一定速度で減速されながら、前記ボール調節シャフト２７を回転させ、前記ボール調節シャフト２７の回転により前記消火液制御ボール２３が回動して、消火液噴出口２２を開放する。これと反対に、前記消火液噴出口２２を閉鎖する場合には、前記駆動モータ５２を逆回転で駆動させて、前記消火液制御ボール２３を元の位置に回動させることで、前記消火液噴出口２２を閉鎖することができる。
【００１６】
このとき、前記減速ギア部は、前記駆動モータ５２の回転軸に軸結合して回転する第１ギア５５と、前記第１ギア５５と噛み合って回転する第２ギア５６と、前記第２ギア５６と噛み合って回転する第３ギア５７とからなる。前記第３ギア５７には、前記ボール調節シャフト２７が軸結合して、前記駆動モータ５２の駆動力を伝達され、前記第３ギア５７は、駆動力の減少時に第３ギア５７が円滑に動作するようにして、前記ボール調節シャフト２７の回転を容易にするスプリング５８を、さらに備えることができる。
【００１７】
前記のように構成された本発明の構成および効果を説明する。ハウジング２０の消火液噴出口２２に、パッキング２５、消火液制御ボール２３を挿入し、前記消火液不出口２２に連通したシャフトホール２６にボール調節シャフト２７を挿入して、前記消火液制御ボール２３の側面に形成された結合溝(図示せず)に嵌めて、一体に形成する。
【００１８】
次に、前記消火液制御ボール２３の下側に、別のパッキング２５を挿入してから、ムードボールとセットスクリュー２４を挿入して、前記パッキング２５と消火液制御ボール２３を強く圧着するようにボール結合した後、噴出案内管３０の一側に結合する。
【００１９】
この状態で、前記噴出案内管３０の他側を消火器タンク１０の内部に挿入したまま、消火器タンク１０の開口部に前記ハウジング２０をねじ結合し、前記ハウジング２０の外部に突出したボール調節シャフト２７に、駆動装置５０を軸結合する。
【００２０】
前記の状態で、前記駆動装置５０の駆動モータ５２を正回転動作させると、回転力が第１ギア５５と第２ギア５６及び第３ギア５７を経て減少しながれ、前記ボール調節シャフト２７を回転させ、前記ボール調節シャフト２７の回転により前記消火液制御ボール２３が９０°回動して、前記消火液噴出口２２を外部と連通するように開放して、消火液が噴射ノズル４０を介して外部に噴射される。
【００２１】
前記とは反対に、火災鎮圧の後、前記消火液噴出口２２を閉鎖する場合には、前記駆動モータ５２を逆回転動作させると、減速ギア部を経た回転力が前記ボール調節シャフト２７を元の位置に回転させて、前記消火液制御ボール２３が最初の位置に回動しながら、前記消火液噴出口２２を閉鎖して、消火液が外部に噴射されることを遮断する。
【図面の簡単な説明】
【００２２】
【図１】本発明による自動式消火器を示した断面図である。
【図２】本発明による自動式消火器を示した分離状態図である。
【図３】本発明による駆動装置を示した状態図である。
【図４】本発明による消火液噴出口の閉鎖時の駆動装置の状態図である。
【図５】本発明による消火液噴出口の開放時の駆動装置の状態図である。
【図６】従来の自動式消火器を示した断面図である。
【符号の説明】
【００２３】
１０：消火器タンク              
２０：ハウジング
２２：消火液噴出口              
２３：消火液制御ボール
２４：セットスクリュー                 
２５：パッキング
２６：シャフトホール            
２７：ボール調節シャフト
３０：噴出案内管                
４０：噴射ノズル
４２：噴射ニップル              
５０：駆動装置
５１：カーバ              
５２：駆動モータ
５４：減速ギア部                
５５：第１ギア
５６：第２ギア                  
５７：第３ギア
５８：スプリング
【図１】
2006312060.tif 000003
【図２】
2006312060.tif 000004
【図３】
2006312060.tif 000005
【図４】
2006312060.tif 000006
【図５】
2006312060.tif 000007
【図６】
2006312060.tif 000008